(57)【要約】【課題】  複数の方向の案内表示をするような表示装置を、簡単に製造することができ、しかも光源の省電力化を図ることができる安価な表示装置を提供する。【解決手段】  内部に線状光源が内蔵され、外周からその線状光源の光を周囲に放射し得るように開口窓が形成されたポール１に、ポール１の外形に合せたポール挿入部２０ａを一側面に有する電飾パネル２が複数個挿入されることにより形成されている。この電飾パネル２は、ポール挿入部２０ａから入射する光を内部で反射させながら、少なくとも一面から均一に放射する面状光源、およびその面状光源の光の照射面に設けられる表示パネルを有している。【選択図】        図１
2008268809.tif 000002
【特許請求の範囲】
【請求項１】
内部に線状光源が内蔵され、外周から該線状光源の光を周囲に放射し得るように形成されたポールと、該ポールの外形に合せたポール挿入部を一側面または中心部に有し、該ポール挿入部から入射する光を少なくとも一面から均一に放射する面状光源、および該面状光源の光の照射面に設けられる表示パネルを少なくとも有する電飾パネルとを具備し、該電飾パネルが、前記ポールの軸方向に沿って少なくとも２個、前記ポール挿入部を前記ポールに挿入することによりに取り付けられてなる表示装置。
【請求項２】
前記電飾パネルが、前記ポールを支柱として回転させて取り付けられるように設けられ、前記少なくとも２個設けられる電飾パネルが異なる方向に向けて案内表示をする請求項１記載の表示装置。
【請求項３】
前記電飾パネルが、前記ポールの同じ高さの位置で、該ポールを挟んで両側に延びる構造のものを含む請求項１または２記載の表示装置。
【請求項４】
前記ポール内に内蔵される線状光源が、前記ポールの軸方向に沿って少なくとも２個設けられる電飾パネルごとにオンオフするように形成されてなる請求項１ないし３のいずれか１項記載の表示装置。
【発明の詳細な説明】
【技術分野】
【０００１】
本発明は、たとえば地下街での方向案内表示や、道路などで工事中の案内と共に迂回路の表示を行う場合のように、案内表示をする場合にとくに優れた表示装置に関する。さらに詳しくは、表示パネルを光源の光の照射により鮮明に表示する電飾パネルを少なくとも２個有しながら、光源を内蔵した電飾看板を製造しなくても、ポールに取り付けるだけで簡単に異なる方向に表示をすることができる表示装置に関する。
【背景技術】
【０００２】
駅などの広告に用いられる電飾看板は、たとえば図１０に示されるように、蛍光灯の直管（以下、蛍光管という）１０１などの光源を金属板などからなる光反射ケース（ハウジング）１０２内に数本配列し、光拡散板１０３を介して、または直接表示パネル１０４などを照射する構造になっている。このハウジングとしては、たとえばステンレス、アルミニウムなどからなる金属板により表面側を開口した箱状に形成され、その内部に蛍光管１０１などが設けられている。そして、ハウジングの内部には、光反射材が塗布され、蛍光管からの光が無駄なく正面側に設けられる表示パネル１０４を照射することができるように形成されている。
【０００３】
また、光源を電飾看板の全体にバックライトとして配置しないで、端部または中心部に線状光源を配置しながら、表示パネルの全体を均一に照射することができる面状光源も考えられている（たとえば特許文献１参照）。この面状光源は、たとえば図１１に示されるように、内面が光反射面に形成された箱体１１２の一面または両面に、光透過領域１１３（図に示す例では開口部）が光源１１１側では小さい面積で、光源１１１から遠ざかるにつれて、光透過領域１１３の面積を大きい面積にして、その面積割合を調整することにより、全面でほぼ均一な照度になるような構成にされている。その結果、この光透過領域１１３が形成された面に表示パネルを配設することにより、表示パネルをきれいに表示することができる。
【特許文献１】特開平８−１５３４０５号公報
【発明の開示】
【発明が解決しようとする課題】
【０００４】
前述のように、電飾看板では、ハウジングや箱体内に蛍光管などの光源を有しており、壁面などに取り付ける場合には余り問題は無いが、たとえば地下街の方向案内表示装置や、道路などで工事中および迂回路の表示をする種々の方向に向けて表示する場合には、それぞれに光源を有する電飾看板を別々に取り付けなければならないため、煩雑であると共に、光源もそれぞれ別々に複数個必要となり、電力消費も多くなるという問題がある。
【０００５】
また、地下街の方向案内表示や、道路工事中と迂回路の案内を同時に表示する場合などでは、案内などのために表示したい方向が、その表示装置の設置場所により変化し、複数個の表示方向を一概に定めることができず、設置場所に応じて特注をしなければならなくなり、コストアップになるという問題がある。
【０００６】
本発明は、このような問題を解決し、複数の方向の案内表示をするような表示装置を、簡単に製造することができ、しかも光源の省電力化を図ることができる安価な表示装置を提供することを目的とする。
【課題を解決するための手段】
【０００７】
本発明による表示装置は、内部に線状光源が内蔵され、外周から該線状光源の光を周囲に放射し得るように形成されたポールと、該ポールの外形に合せたポール挿入部を一側面または中心部に有し、該ポール挿入部から入射する光を少なくとも一面から均一に放射する面状光源、および該面状光源の光の照射面に設けられる表示パネルを少なくとも有する電飾パネルとを具備し、該電飾パネルが、前記ポールの軸方向に沿って少なくとも２個、前記ポール挿入部を前記ポールに挿入することによりに取り付けられている。
【０００８】
ここにポールとは、たとえば地上などに立てられるか、天井または壁などに取り付けられるパイプ状のもので、電飾パネルの側面または中心部を保持し、軸方向に複数個の電飾パネルが設けられ、その複数の電飾パネルと光で結合し得るものを意味する。
【０００９】
前記電飾パネルが、前記ポールを支柱として回転させて取り付けられるように設けられ、前記少なくとも２個設けられる電飾パネルが異なる方向に向けて案内表示をするように構成すれば、地下街の方向案内などに用いる場合でも、どの場所に設けられても、その表示方向を所望の方向に向けることができる。
【００１０】
前記電飾パネルが、前記ポールの同じ高さの位置で、該ポールを挟んで両側に延びる構造のものを含む構成にすることにより、大きな表示を簡単にすることができ、たとえば道路での工事中の標識を上部に大きく表示し、その下に迂回方向を目的地によって異なる方向に表示することができる。
【００１１】
前記ポール内に内蔵される線状光源が、前記ポールの軸方向に沿って少なくとも２個設けられる電飾パネルごとにオンオフするように形成されていることにより、ポールの軸方向の全部に電飾パネルが取り付けられない場合には、電飾パネルの無い部分の光源の節電を行うことができる。
【発明の効果】
【００１２】
本発明によれば、ポールに線状光源が内蔵されており、光源を有しない電飾パネルをそのポールに挿入するだけで電飾看板とすることができ、しかも、その電飾看板の向きをポールの周りに自由に設定することができる。そのため、地下街などの混雑する場所で案内表示をする場合に、たとえば北東方向にトイレがあり、東方向に交番があり、北西方向に非常口があれば、たとえば図１に示されるように、電飾パネルとしては、矢印とこれらの表示をしておいて、その電飾パネル自身をその北東方向や東方向などに向けて固定しておけば、１つのポールに方向に応じた案内表示をすることができる。
【００１３】
なお、案内方向が９０°ごとでよければポール断面は四角形でも良いが、前述の例のように案内する方向を細かくする場合には、断面形状を多角形にしたり、円形にしたりすることにより、そのポールを支点として自由に好みの角度だけ電飾パネルを回転させることができ、電飾パネルを所望の方向に向けることができる。この場合、ポールが多角形の場合には、電飾看板の向きを変えるのに、ポールから抜いて挿入し直すことが必要となるが、回転防止という点では好ましい。一方、多角形の場合でも、支柱の形状に対して電飾パネルのポール挿入部の内径を円形などのバカ孔にしておくことにより、挿入し直さなくても方向を自由に変えることができる。この場合、ビスなどにより固定する構造にすることが好ましいが、ビスなどにより固定する相手が多角形の平坦面になるため確実に固定することができる。ポールの断面が、円形の場合でも、ビスなどのロック装置で固定することが、意図しないのに回転して指す方向がずれるのを避ける面から好ましい。
【００１４】
また、ポールの線状光源から光を放射する領域の全体に電飾パネルを取り付けない場合には、電飾パネルの無い部分のポールから光が出ないようにポールの外形に合せた筒状カバーを被せたり、前述のように、ポール内の線状光源を予め電飾看板の長さに合せて分割して内蔵しておき、使用しない部分の線状光源をオフにしたりすることもできる。また、前述のポールは、地上に立てる場合に限らず、天井から吊り下げる構造でも良く、また、雑居ビルなどで、各部屋の案内（店名など）を表示する場合で、方向案内を必要としない場合でも、ポールを壁に取り付けておけば、電飾パネルをポールに挿入するだけで、それぞれの電飾パネルは光源を必要とすることなく、簡単に取り替えることもできるし、省電力になる。
【発明を実施するための最良の形態】
【００１５】
つぎに、図面を参照しながら本発明による表示装置について説明をする。本発明による表示装置は、図１および図２にその一実施形態の斜視説明図およびそのポールと電飾パネルの部分の説明用断面図が示されるように、内部に線状光源３が内蔵され、外周からその線状光源３の光を周囲に放射し得るように開口窓１１が形成されたポール１に、ポール１の外形に合せたポール挿入部２０ａを一側面に有する電飾パネル２が複数個挿入されることにより形成されている。この電飾パネル２は、ポール挿入部２０ａから入射する光を内部で反射させながら、少なくとも一面から均一に放射する箱体２１からなる面状光源２０、およびその面状光源２０の光の照射面に設けられる表示パネル２２を有している。そのため、この電飾パネル２をポール１の周囲で特定の方向に向けて取り付けることにより、その方向を向けて表示パネル２２に書かれた画像を鮮明に表示することができる。
【００１６】
ポール１は、たとえば断面形状が円形または三角形以上の多角形状の金属筒状体からなっており、内面は、たとえば白色塗料の塗布または鏡面材料を貼り付けることなどにより、できるだけ光を反射しやすく形成されており、また、電飾パネル２が設けられる部分は、できるだけ開口窓１１が形成されて、内部に設けられる線状光源３の光を外部に放射できるように形成されている。この開口窓１１は、後述するように電飾パネル２内に光を供給するためのもので、電飾パネル２が設けられる方向が決まっていれば、その部分のみに形成されればよいのであるが、一般的には、表示装置の設置場所によって、電飾パネル２を設ける方向が定まっていない場合には、周囲いずれの方向にも光を放射することができるように開口窓１１が形成される。
【００１７】
具体的には、ポール１が多角形の場合には、角部には筒状体が残るようにし、角部と角部との間に開口窓１１を形成することが好ましく、円形の場合でも、多角形の角部の間隔程度に筒状体が残るように開口窓１１が形成されている。また、方向案内表示装置などに用いる場合には、上下の電飾パネル２の方向をずらして設けるのが普通であること、さらにはポール１の機械的強度の観点からも、上下の電飾パネル２の部分では、開口窓１１が連通しないように形成することが好ましい。しかし、後述する雑居ビルなどのフロア案内（図９参照）などに使用する場合には、ポールの軸方向に沿って設けられる電飾パネル２はみな同じ方向に並ぶため、上下に並ぶ電飾パネル２用の開口窓１１でも、軸方向に沿って同じ位置に形成される。この場合は、ポール１の軸方向に沿って開口窓１１が連続もしくは僅かな残留部を介して形成されることになるが、ポール１の周囲全体に開口窓１１を設ける必要はなく、電飾パネルを設ける方向は一方向に決まっているため、たとえば四角形状のポール１では、その一辺のみまたは対向する二辺のみに開口窓１１を形成すればよい。そのため、たとえ同じ位置で軸方向に沿って連続して開口窓１１が形成されても、機械的強度は充分に得られる。
【００１８】
このポール１は、たとえば地上などに設置される場合には、図１に示されるように、取付台１２に固定され、通常の人間の目の高さ以上の位置に電飾パネル２が並ぶように、下の方に電飾パネルを有しない支柱としての長さを有し、全体で２〜４ｍの長さに形成されることが多いが、たとえば天井にぶら下げる場合や、前述の雑居ビルのフロア案内に使用するような場合には、ポール１の全体に電飾パネル２を取り付けられるように長さ全体に開口窓１１が形成される構造にしても良い。
【００１９】
電飾パネル２は、たとえば図３（ａ）に概略説明図が示されるように、たとえば箱体２１からなる面状光源２０（実際にはポール１に組み立てられることにより面状光源となる）の光照射面に表示パネル２２が少なくとも設けられることにより形成されている。詳細に述べると、表示パネル２２上には保護用の透明フィルムが設けられたり、面状光源２０と表示パネル２２との間にアクリル板などからなる光拡散板が設けられたりしても良い。この電飾パネル２の大きさは、用途に応じて種々の大きさに形成することができるが、たとえば横方向の長さが２０〜５０ｃｍ程度、高さが２０〜３０ｃｍ程度、厚さが５ｃｍ程度（ポールから遠ざかる端部側では１ｃｍ程度にすることもある）に形成することができる。
【００２０】
図３に示される面状光源２０は、図３（ｂ）にその断面説明図が示されるように、たとえばステンレスやアルミニウムなどの金属板などにより形成される箱体２１の一端部にポール挿入部２０ａが設けられ、その表示面（図に示される例では表裏両面が表示面となっているが裏面側の表示パネル２２は省略してある）に、光透光領域２１ｂが形成されている。表示面以外の面には、内部が光反射面になっており、外には光が出ない構造になっている。この箱体２１は、金属板でも樹脂製でも構わないが、光を透過させないような材料または表面処理がなされており、とくに内面は光反射率の高い鏡面材料の貼り付けなどによる光反射面に形成されており、光透過領域２１ｂは、開口孔が形成されることにより光を透過するように形成されている。この光透過領域２１ｂは、ポール挿入部２０ａ側（光源３に近い側）で小さい面積に、ポール挿入部２０ａから離れるにつれて大きい面積になるように形成され、この光透過領域２１ｂから放射される光の量（輝度）が表示面の面内で均一になるように、光透過領域２１ｂが形成されている。すなわち、この箱体２１のポール挿入部２０ａをポール１に挿入することにより、ポール１の線状光源３の光が箱体２１内に導入され、箱体２１内で反射を繰り返してその表示面の光透過領域２１ｂのみから光が放射され、しかもその光が面内でほぼ均一に放射されるため、均一な面状光源２０になっている。
【００２１】
面状光源２０は、このような両面を表示面として平行な面にする箱体２１に限られるものではなく、たとえば表示面を片面だけにすることもでき、その場合には、箱体２１の裏面側を傾斜面にしてポール挿入部２０ａから遠い方では箱体２１の内面間隔を狭くして表示面側に光を出やすくして、面内の照度を均一にすることもできる。また、箱体２１を用いないで、たとえば表面から均一な光を放射することができるように形成された透過光調整板を周囲で板金などにより保持した箱状体のものや、表面から均一に光を放射することができるように形成された導光板などを用いることができる。
【００２２】
透過光調整板を用いた電飾パネル２の例が図４に示されている。すなわち、この例は、たとえばポリエチレンテレフタレート（ＰＥＴ）などからなるフィルムに、図４（ｃ）に示されるような光透過領域２４ｂのパターンとそれ以外の光反射膜（斜線部分）２４ａを形成した透過光調整フィルム２４を、たとえば３ｍｍ程度の厚さのアクリル樹脂（ＰＭＭＡ）、ＰＥＴ、ポリカーボネート（ＰＣ）などの透光性板状体２３の裏面側に貼着することにより面状光源２０が形成されている。図４に示される例では、両面表示の例で、この透光性板状体２３の裏面に透過光調整フィルム２４を貼り付けた透過光調整板が、表示パネル２２と共に、板金２５で箱状に形成されており、この板金２５によりポール挿入部２０ａが形成され、前述の図３に示される例と同様に、このポール挿入部２０ａをポール１に挿入することにより、この空間内にポール１内の線状光源３からの光が投入され、表示面から均一な光を放射し、表示パネル２２の画像を明るく表示することができる。
【００２３】
このような透過光調整フィルム２４は、たとえばＰＥＴなどのフィルムに、Ａｌなどからなる光反射膜２４ａを全面に蒸着などにより形成し、その光反射膜２４ａの一部を図４（ｃ）に示されるように、ポール１に近い側（光源に近い側）で小さい面積で、遠くなるにつれて面積が大きくなるようにエッチングにより除去することにより形成されている。その結果、前述の図３に示される箱体２１と同様に、光透過領域２４ｂのみから光を放射し、その他の部分は光反射膜２４ａにより内部で反射を繰り返して光の損失が少ない均一な面状光源２０とすることができる。このような透過光調整板を用いる場合でも、片面のみを表示面とすることができ、その場合には、他面側には光反射面が形成される。
【００２４】
また、導光板を用いた例が図５に示されている。導光板２６は、通常の液晶表示装置などのバックライトと同様に、その裏面に形成された反射パターン（図では省略）により、側面から導入された光を表面から均一に照射するもので、表示面から照射する光をより均一にするため、通常その表示面側にＰＭＭＡ、ＰＥＴ、ＰＣ、乳白色ガラスなどからなる光拡散板２７が設けられる。この表面に表示パネル２２が重ねられて板金２５により固定される。ポール挿入部２０ａは、この板金２５により形成されている。なお、表示パネル２２は、光拡散板２７と一緒に固定しなくても、図３に示される例と同様に、板金２５などの表面側にビスなどで固定することもできる。前述の図４に示される例でも同様である。また、この図５に示される例では、一面だけを表示面にする例であるが、両面を表示面にする場合には、２枚の導光板２６を背中合せに重ね、両方の側面からポール１側の光を導入するようにすればよい。
【００２５】
面状光源２０のポール挿入部２０ａは、ポール１の外形に合せた形状に形成される。すなわち、図３に示される例は、ポール１の断面形状が円形の場合の例で、ポール挿入部２０ａも断面形状が円形状に形成されている。しかし、ポール１の断面形状に応じて、図６（ａ）〜（ｂ）に示されるように、種々の形状に変更することができる。なお、ポール挿入部２０ａの形状は、ポール１の形状に合せないで、たとえば図６（ｃ）に示されるように、たとえばポール挿入部２０ａをポール１の外形の外接円（バカ孔）の形状にして、ビス２９でポール１に固定する構造にすることもできる。このような構造にすることにより、ポール１の平坦部にビス２９により固定することができ、固定を確実に行いやすいと共に、電飾パネル２を自由に回転させて固定することができる。
【００２６】
いずれの場合においても、その内面は、とくに線状光源３を覆う部分は、面状光源２０内に光を反射することができるように良好な光反射面で形成されている。すなわち、線状光源３は、周囲の全方向に光を放射するようになっているが、光の利用は面状光源２０の箱体２１などの中に入る光だけになるため、殆どの光が面状光源２の箱体２１などの中に反射するようにポール挿入部２０ａが形成されている。なお、このような線状光源３の光を反射させて利用する方法は、液晶表示装置のバックライトなどで導光板に線状光源からの光を導入するのと同様の方法である。
【００２７】
面状光源２０の構造は、図３〜５に示されるようなポール１から一方向のみに進む構造ではなく、図７に示されるように、同様の箱体で、その中心部にポール挿入部２０ａが形成された構造にすることもできる。このような場合でも、ポール１の近傍では光透過領域２１ｂの面積を非常に小さくしておくことにより、ポール１の部分も含めて光の放射を均一な輝度にすることができる。このようなポール１の両側に延ばす構造の面状光源２０は、箱体２１の構造に限らず、図４に示される透過光調整板を用いる構造でも同様に形成することができる。また、図５に示される導光板の例でも、ポール１を挟んで両側に延ばす構造にすることができるが、導光板２６の場合には、ポール１の部分には光を均一に放射させることができないため、ポール１の部分は表示領域とはしない電飾パネル２になる。なお、図７で２８は電飾パネル２の支持部であるが、図１および図２の例と同様に、ポール１に段差を形成しておき、その段差部で支持するようにすることもできる。また、固定を確実にするには、電飾パネル２の上部側にも支持部２８と同様の支持部を設けることが好ましい。
【００２８】
線状光源３は、図１に示される例では、複数個の電飾パネル２に共通の１本の蛍光管の例が示されているが、このような例には限定されず、たとえば複数の電飾パネルのそれぞれに独立した短い蛍光管にすることもできるし、蛍光管の他に冷陰極管を用いることもできるし、また、図８に示されるようにＬＥＤ３３をたとえばセラミックスなどからなる基台３２上に並べてボンディングし、ＬＥＤ３３を発光させることにより形成してもよい。このＬＥＤ３３の場合でも、各電飾パネル２用のＬＥＤ３３を纏めて電源に接続するようにしておけば、電飾パネル２ごとに線状光源３をオンオフすることができる。ＬＥＤ３３としては、絶縁性基板上にＬＥＤチップをマウントしたチップ型のＬＥＤでも良いし、ＬＥＤのチップだけのベアチップでも良い。白色のＬＥＤ３３を用いることが一般的には好ましいが、特別な色のものを使用することもできる。
【００２９】
ポール１には、複数個の電飾パネル２を装着することができるように開口窓１１が形成されていながら、表示する電飾パネル２が無い場合には、その部分には表示パネルの無い無地の電飾パネル２をはめ込んでも良いが、図１に示すような表示装置では、線状光源３がオフにされていても、無地の電飾パネル２が装着されていると外観的にも良くないため、電飾パネル２に代えて、図２に示されるようなメクラの筒状カバー４を装着しておくこともできる。
【００３０】
前述の例は、地下街や道路標識などの案内標識の表示装置に用いる例であったが、このような例に限らず、たとえば雑居ビルの各フロアにどういう店が入居しているからを案内する、図９に示されるような案内表示装置でも、同様にポール１に電飾パネル２を差し込むだけで、案内表示板を形成することができる。このような構成にすることにより、通常の電飾看板のように、バックライトを必要としないため、非常に薄型で構成しながら、ポール１の光源を有効に利用することができる。なお、図９に示される例では、ポールの一方側のみに、電飾パネル２を設ける構成になっているが、前述の図７に示されるように、ポール１を挟んで両側に延びる面状光源を用いることにより、より一層光源３の光を有効に利用することができる。
【図面の簡単な説明】
【００３１】
【図１】本発明による表示装置の一実施形態を示す斜視説明図である。
【図２】図１に示される電飾パネルとポールとの接続部を示す断面説明図である。
【図３】図１に示される電飾パネルの構成例を示す図である。
【図４】面状光源として透過光調整板を用いた例を説明する図である。
【図５】面状光源として導光板を用いた例を説明する図である。
【図６】電飾パネルのポール挿入部の他の構造例を示す図である。
【図７】電飾パネルの他の構成例を示す図である。
【図８】線状光源の他の構成例を示す図である。
【図９】本発明による表示装置の他の応用例を示す図である。
【図１０】従来の蛍光管を用いた電飾看板の構成例を示す図である。
【図１１】従来の面状光源の一例を示す図である。
【符号の説明】
【００３２】
１    ポール
２    電飾パネル
３    線状光源
11    開口窓
20    面状光源
20ａ  ポール挿入部
21    箱体
21ｂ  光透過領域
22    表示パネル
23    透光性板状体
24    透過光調整フィルム
24ａ  光反射膜
24ｂ  光透過領域
25    板金
26    導光板
27    光拡散板
32    基台
33    ＬＥＤ
【図１】
2008268809.tif 000003
【図２】
2008268809.tif 000004
【図３】
2008268809.tif 000005
【図４】
2008268809.tif 000006
【図５】
2008268809.tif 000007
【図６】
2008268809.tif 000008
【図７】
2008268809.tif 000009
【図８】
2008268809.tif 000010
【図９】
2008268809.tif 000011
【図１０】
2008268809.tif 000012
【図１１】
2008268809.tif 000013